(57)【要約】【課題】トグル動作に関する動作状態にかかわらず、所望の操作を行うことができる画像表示装置、プロジェクタ及び画像表示装置の制御方法を得る。【解決手段】入力画像信号に基づいて表示画像用の画像信号を生成する画像信号処理部３２と、生成された画像信号に基づいて画像を表示する画像表示部と、操作内容に応じた操作信号を入力するための操作信号入力部４３と、操作信号入力部４３から受け取ったトグル動作に関する操作信号に基づき、第１の動作と第２の動作とを交互に行う制御部２０とを備え、制御部２０は、操作信号入力部４３からトグル動作に関する操作信号を受け取ったあと所定時間経過前に、第１の操作信号を受け取ったとき、第１の動作を行い、操作信号入力部４３からトグル動作に関する操作信号を受け取ったあと所定時間経過前に、第２の操作信号を受け取ったとき、第２の動作を行うものである。【選択図】図１
2009278572.tif 000002
【特許請求の範囲】
【請求項１】
入力画像信号に基づいて表示画像用の画像信号を生成する画像信号処理部と、
前記画像信号処理部により生成された画像信号に基づいて画像を表示する画像表示部と、
操作内容に応じた操作信号を入力するための操作信号入力部と、
前記操作信号入力部から受け取ったトグル動作に関する操作信号に基づき、第１の動作と第２の動作とを交互に行う制御部と
を備え、
前記制御部は、
前記操作信号入力部からトグル動作に関する操作信号を受け取ったあと所定時間経過前に、第１の操作信号を受け取ったとき、前記第１の動作を行い、
前記操作信号入力部からトグル動作に関する操作信号を受け取ったあと所定時間経過前に、第２の操作信号を受け取ったとき、前記第２の動作を行うことを特徴とする画像表示装置。
【請求項２】
入力画像信号に基づいて表示画像用の画像信号を生成する画像信号処理部と、
前記画像信号処理部により生成された画像信号に基づいて画像を表示する画像表示部と、
操作内容に応じた操作信号を入力するための操作信号入力部と、
前記操作信号入力部から受け取った電源操作信号に基づき、電源のオンオフ制御を行う制御部と
を備え、
前記制御部は、
前記操作信号入力部から電源操作信号を受け取ったあと所定時間経過前に、第１の操作信号を受け取ったとき、電源をオン状態にし、
前記操作信号入力部から電源操作信号を受け取ったあと所定時間経過前に、第２の操作信号を受け取ったとき、電源オフ状態にすることを特徴とする画像表示装置。
【請求項３】
前記制御部は、
前記操作信号入力部から電源操作信号を受け取ったあと所定時間経過前に、前記第１の操作信号又は前記第２の操作信号を受け取らなかったとき、電源のオンオフ状態を反転することを特徴とする請求項２記載の画像表示装置。
【請求項４】
前記制御部は、
前記電源操作信号の入力回数及び入力時間の少なくとも一方に応じて、前記第１の操作信号又は第２の操作信号を受け取ったと判断することを特徴とする請求項２又は３記載の画像表示装置。
【請求項５】
装置本体の外部に設けられ、操作内容に応じた操作信号を送信するリモートコントローラと、
装置本体に設けられ、前記リモートコントローラからの操作信号を受信する受信部と
を更に備え、
前記リモートコントローラは、
前記電源操作信号、前記第１の操作信号、及び前記第２の操作信号を送信することを特徴とする請求項２〜４の何れかに記載の画像表示装置。
【請求項６】
入力画像信号に基づいて投写画像用の画像信号を生成する画像信号処理部と、
前記画像信号処理部により生成された画像信号に基づき、光源から射出された光束を変調する光変調部と、
前記光変調部により変調された光束を拡大投写する投写光学系と、
操作内容に応じた操作信号を入力するための操作信号入力部と、
前記操作信号入力部から受け取ったトグル動作に関する操作信号に基づき、第１の動作と第２の動作とを交互に行う制御部と
を備え、
前記制御部は、
前記操作信号入力部からトグル動作に関する操作信号を受け取ったあと所定時間経過前に、第１の操作信号を受け取ったとき、前記第１の動作を行い、
前記操作信号入力部からトグル動作に関する操作信号を受け取ったあと所定時間経過前に、第２の操作信号を受け取ったとき、前記第２の動作を行うことを特徴とするプロジェクタ。
【請求項７】
トグル動作に関する操作信号に基づき第１の動作と第２の動作とを交互に行う画像表示装置の制御方法であって、
前記トグル動作に関する操作信号を受け取ったあと所定時間が経過したか否かを判断するステップと、
前記所定時間経過前に、第１の操作信号を受け取ったとき、第１の動作を行うステップと、
前記所定時間経過前に、第２の操作信号を受け取ったとき、第２の動作を行うステップと
を有することを特徴とする画像表示装置の制御方法。
【発明の詳細な説明】
【技術分野】
【０００１】
本発明は、操作信号に基づく動作を行う画像表示装置、プロジェクタ及び画像表示装置の制御方法に関する。
【背景技術】
【０００２】
従来の技術としては、例えば特許文献１に「映像信号に応じて画像を生成する画像生成手段と、前記画像生成手段により生成された前記画像を投写面に投写する画像投写手段と、前記投写面に投写される画像を調整する画像調整手段と、リモコン送信機から出力されるリモコン信号を受信するリモコン信号受信手段と、前記リモコン信号受信手段から出力される信号に応じて前記画像調整手段を制御する制御手段と、前記リモコン信号受信手段の出力を前記制御手段に伝達する第１の状態と、前記リモコン信号受信手段の出力を前記制御手段に伝達しない第２の状態とを切換える切換え手段とを有することを特徴とする投写型画像表示装置。」が提案されている（例えば、請求項１を参照）。
【０００３】
【特許文献１】特開２０００−３３０２０１号公報
【発明の開示】
【発明が解決しようとする課題】
【０００４】
従来、例えば電源操作キーが操作される度に、電源がオン状態であればオフ状態とし、オフ状態であればオン状態とする動作のように、単一の操作キーが操作される度に機能や状態を交互に変化させる動作（以下「トグル動作」ともいう。）を行うものが知られている。
【０００５】
しかしながら、例えば複数の画像表示装置を１台のリモートコントローラ（以下「リモコン」ともいう。）により操作する場合、各画像表示装置のトグル動作に関する動作状態が一致していないと所望の操作ができない、という問題点があった。
例えば、電源オン状態と電源オフ状態の画像表示装置が混在している場合に、リモコンにより全ての電源をオフにしたいとき、リモコンの電源操作キーを操作すると、電源オン状態の画像表示装置を電源オフとすることができるが、電源オフ状態の画像表示装置は電源オン状態となり、全ての電源をオフにすることができない。
【０００６】
また、上記特許文献１には、複数のプロジェクタをカスケード接続して、全て又は特定のプロジェクタのみリモコンで操作するものが提案されている。しかしながら、複数のプロジェクタを接続するための入出力端子が必要となり装置のコストが上がってしまう、という問題点があった。また、複数のプロジェクタ間を接続する必要があり、設置作業が煩雑になる、という問題点があった。
【０００７】
本発明はこのような課題を解決するためになされたものであり、トグル動作に関する動作状態にかかわらず、所望の操作を行うことができる画像表示装置、プロジェクタ及び画像表示装置の制御方法を得ることを目的とする。
【課題を解決するための手段】
【０００８】
本発明に係る画像表示装置は、入力画像信号に基づいて表示画像用の画像信号を生成する画像信号処理部と、前記画像信号処理部により生成された画像信号に基づいて画像を表示する画像表示部と、操作内容に応じた操作信号を入力するための操作信号入力部と、前記操作信号入力部から受け取ったトグル動作に関する操作信号に基づき、第１の動作と第２の動作とを交互に行う制御部とを備え、前記制御部は、前記操作信号入力部からトグル動作に関する操作信号を受け取ったあと所定時間経過前に、第１の操作信号を受け取ったとき、前記第１の動作を行い、前記操作信号入力部からトグル動作に関する操作信号を受け取ったあと所定時間経過前に、第２の操作信号を受け取ったとき、前記第２の動作を行うものである。
本発明においては、トグル動作に関する操作信号を受け取ったあと所定時間経過前に、第１の操作信号を受け取ったとき第１の動作を行い、第２の操作信号を受け取ったとき第２の動作を行うので、トグル動作に関する動作状態にかかわらず、所望の操作を行うことができる。
【０００９】
本発明に係る画像表示装置は、入力画像信号に基づいて表示画像用の画像信号を生成する画像信号処理部と、前記画像信号処理部により生成された画像信号に基づいて画像を表示する画像表示部と、操作内容に応じた操作信号を入力するための操作信号入力部と、前記操作信号入力部から受け取った電源操作信号に基づき、電源のオンオフ制御を行う制御部とを備え、前記制御部は、前記操作信号入力部から電源操作信号を受け取ったあと所定時間経過前に、第１の操作信号を受け取ったとき、電源をオン状態にし、前記操作信号入力部から電源操作信号を受け取ったあと所定時間経過前に、第２の操作信号を受け取ったとき、電源オフ状態にするものである。
本発明においては、電源操作信号を受け取ったあと所定時間経過前に、第１の操作信号を受け取ったとき電源をオン状態にし、第２の操作信号を受け取ったとき電源をオフ状態にするので、電源の状態にかかわらず、所望の電源状態にする操作を行うことができる。
【００１０】
本発明に係る画像表示装置においては、前記制御部は、前記操作信号入力部から電源操作信号を受け取ったあと所定時間経過前に、前記第１の操作信号又は前記第２の操作信号を受け取らなかったとき、電源のオンオフ状態を反転するものである。
本発明においては、電源操作信号を受け取ったあと所定時間経過前に、第１の操作信号又は第２の操作信号を受け取らなかったとき、電源のオンオフ状態を反転するので、ユーザーの操作に応じて電源状態を反転させることができ、操作性を向上させることができる。
【００１１】
本発明に係る画像表示装置においては、前記制御部は、前記電源操作信号の入力回数及び入力時間の少なくとも一方に応じて、前記第１の操作信号又は第２の操作信号を受け取ったと判断するものである。
本発明においては、電源操作信号の入力回数及び入力時間の少なくとも一方に応じて、第１の操作信号又は第２の操作信号を受け取ったと判断するので、ユーザーは電源操作と異なる操作をすることなく、所望の電源状態にする操作を行うことができ、操作性を向上させることができる。
【００１２】
本発明に係る画像表示装置は、装置本体の外部に設けられ、操作内容に応じた操作信号を送信するリモートコントローラと、装置本体に設けられ、前記リモートコントローラからの操作信号を受信する受信部とを更に備え、前記リモートコントローラは、前記電源操作信号、前記第１の操作信号、及び前記第２の操作信号を送信するものである。
本発明においては、リモートコントローラにより、所望の電源状態にする操作を行うことができる。また、例えば複数の画像表示装置をリモートコントローラにより操作する場合であっても、各画像表示装置の電源の状態にかかわらず、所望の電源状態にする操作を行うことができる。
【００１３】
本発明に係るプロジェクタは、入力画像信号に基づいて投写画像用の画像信号を生成する画像信号処理部と、前記画像信号処理部により生成された画像信号に基づき、光源から射出された光束を変調する光変調部と、前記光変調部により変調された光束を拡大投写する投写光学系と、操作内容に応じた操作信号を入力するための操作信号入力部と、前記操作信号入力部から受け取ったトグル動作に関する操作信号に基づき、第１の動作と第２の動作とを交互に行う制御部とを備え、前記制御部は、前記操作信号入力部からトグル動作に関する操作信号を受け取ったあと所定時間経過前に、第１の操作信号を受け取ったとき、前記第１の動作を行い、前記操作信号入力部からトグル動作に関する操作信号を受け取ったあと所定時間経過前に、第２の操作信号を受け取ったとき、前記第２の動作を行うものである。
本発明においては、トグル動作に関する操作信号を受け取ったあと所定時間経過前に、第１の操作信号を受け取ったとき第１の動作を行い、第２の操作信号を受け取ったとき第２の動作を行うので、トグル動作に関する動作状態にかかわらず、所望の操作を行うことができる。
【００１４】
本発明に係る画像表示装置の制御方法は、トグル動作に関する操作信号に基づき第１の動作と第２の動作とを交互に行う画像表示装置の制御方法であって、前記トグル動作に関する操作信号を受け取ったあと所定時間が経過したか否かを判断するステップと、前記所定時間経過前に、第１の操作信号を受け取ったとき、第１の動作を行うステップと、前記所定時間経過前に、第２の操作信号を受け取ったとき、第２の動作を行うステップとを有するものである。
本発明においては、トグル動作に関する操作信号を受け取ったあと所定時間経過前に、第１の操作信号を受け取ったとき第１の動作を行い、第２の操作信号を受け取ったとき第２の動作を行うので、トグル動作に関する動作状態にかかわらず、所望の操作を行うことができる。
【発明を実施するための最良の形態】
【００１５】
実施の形態１．
図１は実施の形態１に係るプロジェクタの構成を示すブロック図である。図に示すように、画像表示装置であるプロジェクタ１は、光源であるランプ１１と、光変調部である液晶ライトバルブ１２Ｒ，１２Ｇ，１２Ｂ（以下、区別しない場合は単に「液晶ライトバルブ１２」という。）と、投写光学系１３と、液晶ライトバルブ駆動部１４と、制御部２０と、画像入力部３１と、画像信号処理部３２と、フレームメモリ３３と、バラスト４０と、操作パネル４１と、リモコン受光部４２と、操作信号入力部４３と、記憶部４４と、タイマ部５０と、電源部６０とを備えている。尚、本実施の形態では、光源としてランプ１１を用いる場合を説明するが、本発明はこれに限らず、発光ダイオードやレーザダイオードなど任意の光源を用いても良い。
【００１６】
このプロジェクタ１は、外部接続機器２から供給される入力画像信号に応じた画像光を投射して、スクリーン、白壁又はホワイトボード等の被投写体（以下「スクリーンＳＣ」という。）に拡大投写するものである。
【００１７】
尚、液晶ライトバルブ駆動部１４、液晶ライトバルブ１２及び投写光学系１３は本発明における画像表示部に相当する。
【００１８】
制御部２０は、画像入力部３１、画像信号処理部３２、バラスト４０、操作信号入力部４３、記憶部４４、タイマ部５０、及び電源部６０と接続され、プロジェクタ１の動作を統括制御する。この制御部２０は、マイクロプロセッサ等により構成され、記憶部４４に記憶された制御プログラム等を実行して、制御部２０に接続された各部から入力される各種データを演算するとともに、演算結果を前記各部に出力する。また、後述する動作により、操作信号入力部４３からの操作信号に基づき、当該プロジェクタ１の電源オンオフ制御を行う。
【００１９】
画像入力部３１は、外部接続機器２と接続する１又は複数の接続端子を備え、外部接続機器２から入力される１又は複数の入力画像信号を取り込んで、それが例えばアナログ画像信号の場合にはデジタルの画像信号に変換する等の処理をして、画像信号処理部３２に出力する。尚、画像入力部３１が備える接続端子としては、例えば、ＲＧＢ端子、ＢＮＣ端子、Ｓ端子、ビデオ端子、ＤＶＩ端子などを備え、パーソナルコンピュータや各種ビデオ機器、ＤＶＤ再生機器などと接続される。
【００２０】
画像信号処理部３２は、例えばマイクロプロセッサ（例えばＤＳＰ）等の信号処理回路から構成され、それに内蔵した記憶部に格納された制御プログラムを実行することにより各種の処理を行う。また、画像信号処理部３２にはフレームメモリ３３が接続されており、画像入力部３１からの画像信号を１フレーム（１画像画面）毎にフレームメモリ３３に記憶させるとともに、フレームメモリ３３に記憶された画像（以下「フレーム画像」ともいう。）を読み出す機能を有し、また、画像信号の解像度を液晶ライトバルブ１２の解像度に合わせる解像度変換処理等の各種の信号処理を施して投写画像用の画像信号を生成する。
【００２１】
また、この画像信号処理部３２はＯＳＤ（Ｏｎ−Ｓｃｒｅｅｎ  Ｄｉｓｐｌａｙ）処理をする機能を備えており、制御部２０の制御命令に従って、プロジェクタ１の各種状態を表す文字や記号、画質調整を行う際のメニュー画像などのＯＳＤ画像信号をフレーム画像信号と合成する処理を行う。具体的には、制御部２０が例えば記憶部４４から各種メニュー画像データを読み出して画像信号処理部３２に供給し、画像信号処理部３２は例えばメニュー画像データによりＯＳＤ画像信号を生成し、このＯＳＤ画像信号をフレーム画像信号と合成する。尚、ＯＳＤ処理をしない場合には、フレーム画像信号がそのまま出力されることになる。上記のＯＳＤ処理によりメニュー画像が表示されると、ユーザーはメニュー画像に従ってプロジェクタ１の各部の機能を設定又は調整することになる。
【００２２】
液晶ライトバルブ駆動部１４は、入力された画像信号に応じて、液晶ライトバルブ１２Ｒ，１２Ｇ，１２Ｂを駆動する。液晶ライトバルブ１２Ｒ，１２Ｇ，１２Ｂは、それぞれ、複数の画素（図示せず）がマトリクス状に形成されており、液晶ライトバルブ駆動部１４により各画素の透過率が調整されることにより、ランプ１１から射出され、色光分離光学系（図示せず）によって各色光に分離されたＲ（赤）、Ｇ（緑），Ｂ（青）の各色光を、対応する液晶ライトバルブ１２Ｒ，１２Ｇ，１２Ｂによって変調する。液晶ライトバルブ１２Ｒ，１２Ｇ，１２Ｂから射出された画像光は、クロスダイクロイックプリズム（図示せず）などの合成光学系により合成され、投写光学系１３によってスクリーンＳＣ上に拡大投写される。
【００２３】
バラスト４０は、制御部２０からの指示に従って、ランプ１１を点灯又は消灯させる光源駆動部であり、例えばランプ１１が高圧放電灯の場合には、始動電圧を印加する点灯回路や、適正なランプ電流を供給する安定器などにより構成される。
【００２４】
操作パネル４１は、プロジェクタ１の本体に設けられており、電源のオンオフを行う電源操作キー、入力画像切り換え操作を行う入力切換キー、画質調整等の操作を行うメニュー画像を表示させるメニューキー、メニュー画像での項目選択操作などを行う選択キー、及びプロジェクタ１の状態変更等を行うための各種スイッチ類を有し、ユーザーによるキー操作に応じた操作信号を操作信号入力部４３に入力する。
【００２５】
図２は実施の形態１に係るリモコンの構成を示す図である。図２に示すように、リモートコントローラ（以下「リモコンＲＣ」という。）は、プロジェクタ１の外部に設けられ、電源操作キー４２１、メニューキー４２２、ＥＳＣキー４２３、及びその他の上記操作パネル４１と同様な各種スイッチ類や０〜９までの数字キーなどを有している。
このリモコンＲＣは、ユーザーによるキー操作がなされる度に、キー操作に応じた操作信号を送信する。
例えば、電源操作キー４２１が操作されると、トグル動作に関する操作信号である電源操作信号を送信し、メニューキー４２２が操作されると、第１の操作信号であるメニュー操作信号を送信し、ＥＳＣキー４２３が操作されると、第２の操作信号であるＥＳＣ操作信号を送信する。
そして、リモコンＲＣからの操作信号は、受信部であるリモコン受光部４２を介して操作信号入力部４３に入力される。
【００２６】
再び図１において、操作信号入力部４３は、操作パネル４１又はリモコン受光部４２からの操作信号を受信し、操作内容に応じた操作信号を制御部２０へ入力する。
【００２７】
記憶部４４は、制御部２０が実行する制御プログラム、画質調整等を行う際のメニュー画像などのＯＳＤ画像を生成するためのＯＳＤ情報を記憶するとともに、プロジェクタ１の各種設定値等を記憶する。
【００２８】
タイマ部５０は、制御部２０からの指示に従って動作し、設定された時間の経過を制御部２０へ通知する。
【００２９】
電源部６０は、外部の商業電源に接続されてプロジェクタ１内の各構成部の電力供給源となるものであり、制御部２０からの電源オンオフ制御に応じて動作する。
【００３０】
上記のような構成によりプロジェクタ１は、ユーザーにより操作パネル４１又はリモコンＲＣの電源操作キーが押下されると、操作信号入力部４３は、当該電源操作信号を受信し、この電源操作信号を受け取った制御部２０の制御により当該プロジェクタ１の電源オンオフ制御が行われる。
そして、外部接続機器２から画像入力部３１に入力画像信号が入力され、画像信号処理部３２により入力画像信号を変換して投写画像用の画像信号を生成する。そして生成した画像信号を液晶ライトバルブ駆動部１４へ入力し、液晶ライトバルブ駆動部１４は、入力された画像信号に応じて、液晶ライトバルブ１２を駆動する。液晶ライトバルブ１２は、液晶ライトバルブ駆動部１４により各画素の透過率が調整されることにより、ランプ１１の光を変調して画像光を射出する。そして、この画像光（投写光）は、投写光学系１３を介してスクリーンＳＣに投射される。
【００３１】
ここで、本発明の背景として、１台のリモコンを用いて、複数のプロジェクタを操作する場合の動作について図３を用いて説明する。
【００３２】
図３は複数のプロジェクタの操作を説明する図である。
一般にプロジェクタの電源操作においては、リモコンの電源操作キーが操作される度に電源操作信号が送信され、これを受信するプロジェクタは、当該電源操作信号を受け取る度に、電源がオン状態であればオフ状態とし、オフ状態であればオン状態とする動作（トグル動作）を行う。このようなプロジェクタを複数同時に使用する場合、各プロジェクタの電源のオンオフ状態が一致していないと所望の電源操作ができない。
【００３３】
例えば図３に示すように、３台のプロジェクタＰＪ１〜ＰＪ３の全てについて、リモコンＲＣにより電源をオン状態にする操作を考える。
ユーザーによりリモコンＲＣの電源操作キーが操作されると、リモコンＲＣから電源操作信号が送信される。この電源操作信号を、例えばプロジェクタＰＪ１が何らかの原因で受信できず、プロジェクタＰＪ２及びＰＪ３は正常に受信できた場合、プロジェクタＰＪ１は電源オフ状態を維持し、プロジェクタＰＪ２及びＰＪ３は電源オン状態となる。
【００３４】
このような状態において、プロジェクタＰＪ１の電源をオン状態にするため、ユーザーは再び電源操作キーを操作し、電源操作信号を送信させる。
この電源操作信号を、例えばプロジェクタＰＪ１及びＰＪ２が正常に受信し、プロジェクタＰＪ３は受信できなかった場合、プロジェクタＰＪ１は電源オン状態となり、プロジェクタＰＪ２は電源オフ状態となる。そしてプロジェクタＰＪ３は動作せずに電源オン状態を維持する。
【００３５】
このように、プロジェクタＰＪ１の電源のみをオン状態にしたい場合であっても、電源操作信号を受信したプロジェクタＰＪ２の電源がオフ状態となってしまい、ユーザーが所望する操作を行うことができない。
【００３６】
そこで、本実施の形態１では、電源操作キーのあとに操作された操作キーに応じて、ユーザーが所望する電源状態となるように動作する。このような所望の電源操作を行うことができる動作の詳細について図４に基づき次に説明する。
【００３７】
図４は実施の形態１に係る電源オンオフ操作の動作を示すフローチャートである。
ユーザーによりリモコンＲＣの電源操作キー４２１が押下されると、リモコンＲＣは電源操作信号を送信し、プロジェクタ１の操作信号入力部４３は、リモコン受光部４２を介して当該電源操作信号を受信し、この電源操作信号を制御部２０へ入力する。
制御部２０は、入力された電源操作信号によりリモコンＲＣからの電源操作を検出し（Ｓ１０１）、タイマ部５０のタイマーをスタートさせる（Ｓ１０２）。そして、電源オンを指定する第１の操作信号として例えばメニューキー４２２が操作されたか否か（Ｓ１０３）、及び電源オフを指定する第２の操作信号として例えばＥＳＣキー４２３が操作されたか否かを判断したあと（Ｓ１０４）、タイマースタートから所定時間（例えば１秒）が経過したか否かを判断する（Ｓ１０５）。
【００３８】
タイマースタートから所定時間経過前に、メニューキー４２２及びＥＳＣキー４２３の何れの操作も無いとき、制御部２０はタイマ部５０のタイマーを停止させ（Ｓ１０６）、当該プロジェクタ１の電源がオン状態であるか否かを判断する（Ｓ１０７）。
当該プロジェクタ１の電源がオン状態でないとき、制御部２０は、ランプ１１の点灯制御などの各種の電源オン処理を行い（Ｓ１０８）、通常の動作状態に移行する（Ｓ１０９）。
一方、当該プロジェクタ１の電源がオン状態のとき、制御部２０は、クールダウン処理などの所定の電源オフ処理を行って（Ｓ１１０）、プロジェクタ１をスタンバイ状態（オフ状態）に移行させる（Ｓ１１１）。
このように、電源操作信号を受け取ったあと所定時間経過前にメニューキー４２２又はＥＳＣキー４２３の操作信号を受け取らなかったとき、電源のオンオフ状態は反転する。
【００３９】
上記ステップＳ１０３において、タイマースタートから所定時間経過前にメニューキー４２２が操作されたと判断したとき、つまり、電源オンを指定する第１の操作信号を制御部２０が受け取ったとき、制御部２０は、当該プロジェクタ１の電源がオン状態であるか否かを判断する（Ｓ１２０）。
当該プロジェクタ１の電源がオン状態でないとき、上述したステップＳ１０８の動作により電源オン処理を行って、通常の動作状態に移行する（Ｓ１０８、Ｓ１０９）。
一方、当該プロジェクタ１の電源がオン状態のとき、電源オンオフ動作を終了し（Ｓ１２１）、現在の電源状態を維持する（Ｓ１２２）。
このように、電源操作信号を受け取ったあと所定時間経過前に、メニューキー４２２の操作信号を受け取ったとき、当該プロジェクタ１の電源の状態にかかわらず、電源をオン状態にすることができる。
【００４０】
上記ステップＳ１０４において、タイマースタートから所定時間経過前にＥＳＣキー４２３が操作されたと判断したとき、つまり、電源オフを指定する第２の操作信号を制御部２０が受け取ったとき、制御部２０は、当該プロジェクタ１の電源がオフ状態であるか否かを判断する（Ｓ１３０）。
当該プロジェクタ１の電源がオフ状態でないとき、上述したステップＳ１１０の動作により電源オフ処理を行って、プロジェクタ１をスタンバイ状態に移行させる（Ｓ１１０、Ｓ１１１）。
一方、当該プロジェクタ１の電源がオフ状態のとき、電源オンオフ動作を終了し（Ｓ１２１）、現在の電源状態を維持する（Ｓ１２２）。
このように、電源操作信号を受け取ったあと所定時間経過前に、ＥＳＣキー４２３の操作信号を受け取ったとき、当該プロジェクタ１の電源の状態にかかわらず、電源をオフ状態にすることができる。
【００４１】
以上のように本実施の形態１においては、リモコンＲＣの電源操作キー４２１が操作されたあと所定時間経過前に、メニューキー４２２が操作されると、当該プロジェクタ１の電源をオン状態にし、リモコンＲＣの電源操作キー４２１が操作されたあと所定時間経過前に、ＥＳＣキー４２３が操作されると、当該プロジェクタ１の電源をオフ状態にするので、電源の状態にかかわらず、所望の電源状態にする操作を行うことができる。
これにより、１台のリモコンＲＣにより複数のプロジェクタ１を操作する場合であっても、各プロジェクタ１の電源の状態にかかわらず、所望の電源状態にする操作を行うことができる。
【００４２】
また、リモコンＲＣの電源操作キー４２１が操作されたあと所定時間経過前に、メニューキー４２２及びＥＳＣキー４２３の何れの操作もされないとき、電源のオンオフ状態を反転するので、ユーザーの操作に応じて電源状態を反転させることができ、操作性を向上させることができる。
【００４３】
また、メニューキー４２２又はＥＳＣキー４２３により、電源のオン又はオフを指定することができるので、別途、電源状態の指定のために操作キーを設ける必要がなく、コストがかかることがない。
【００４４】
また、複数のプロジェクタを使用する場合、特定のプロジェクタを操作するために、複数のプロジェクタをカスケード接続する必要がないので、入出力端子などの装置のコストがかかることがない。また、複数のプロジェクタ間を接続する煩雑な設置作業を行う必要がない。
【００４５】
尚、本実施の形態においては、メニューキー４２２及びＥＳＣキー４２３の操作により、電源のオン又はオフの指定を行ったが、本発明はこれに限らず任意の操作キーを用いても良い。
【００４６】
実施の形態２．
上記実施の形態１においては、メニューキー４２２及びＥＳＣキー４２３の操作により、電源のオン又はオフの指定を行ったが、本実施の形態２では、電源操作信号の入力回数及び入力時間の少なくとも一方に応じて、電源のオン又はオフの指定を行う。
尚、本実施の形態２の構成は、上記実施の形態１と同様であり、同一部分については同一符号を付して、その説明を省略する。
【００４７】
図５は実施の形態２に係る電源オンオフ操作の動作を示すフローチャートである。
以下、本実施の形態２の動作を、上記実施の形態１との相違点を中心に図５を用いて説明する。
上記実施の形態１と同様に、ユーザーによりリモコンＲＣの電源操作キー４２１が押下されると、制御部２０へ電源操作信号が入力され、制御部２０はリモコンＲＣからの電源操作を検出し（Ｓ２０１）、タイマ部５０のタイマーをスタートさせる（Ｓ２０２）。
そして、本実施の形態２における制御部２０は、電源操作信号が所定時間継続（例えば１秒間継続）して入力されたか否か（Ｓ２０３）、及び電源操作信号が複数回（例えば２回）入力されたか否かを判断したあと（Ｓ２０４）、タイマースタートから所定時間（例えば２秒）が経過したか否かを判断する（Ｓ２０５）。
つまり、リモコンＲＣからの電源操作を検出したあと所定時間経過するまでの間に、電源操作キー４２１が１秒以上継続して操作されたか否か、及び再び電源操作キー４２１が操作されたか否かを判断する。
【００４８】
タイマースタートから所定時間経過前に、電源操作キー４２１の継続入力、又は再度の電源操作キー４２１の操作が無いとき、制御部２０はタイマ部５０のタイマーを停止させ（Ｓ２０６）、上記実施の形態１と同様に、電源のオンオフ状態を反転する動作を行う（Ｓ２０７〜Ｓ２１１）。
【００４９】
上記ステップＳ２０３において、タイマースタートから所定時間経過前に電源操作キー４２１が１秒以上継続して操作されたと判断したき、制御部２０は、電源オンを指定する第１の操作信号を受け取ったものとして、上述した実施の形態１と同様の動作により、当該プロジェクタ１の電源がオン状態であるか否かを判断する（Ｓ２２０）。そして、電源がオン状態でなければ電源オン処理を行い（Ｓ２０８、Ｓ２０９）、電源がオン状態であれば現在の電源状態を維持する（Ｓ２２１、Ｓ２２２）。
【００５０】
上記ステップＳ２０４において、タイマースタートから所定時間経過前に、再度、電源操作キー４２１が操作されたと判断したとき、制御部２０は、電源オフを指定する第２の操作信号を受け取ったものとして、上述した実施の形態１と同様の動作により、当該プロジェクタ１の電源がオフ状態であるか否かを判断する（Ｓ２３０）。そして、電源がオフ状態でなければ電源オフ処理を行い（Ｓ２１０、Ｓ２１１）、電源がオフ状態であれば現在の電源状態を維持する（Ｓ２２１、Ｓ２２２）。
【００５１】
以上のように本実施の形態においては、電源操作キー４２１の入力時間に応じて電源オンを指定し、電源操作キー４２１の入力回数に応じて電源オフを指定するので、ユーザーは、例えばメニューキー４２２やＥＳＣキー４２３などの電源操作キー４２１と異なる操作キーを操作することなく、所望の電源状態にする操作を行うことができる。
これにより、ユーザーは、電源操作キー４２１を操作した直後に他の操作キーを操作する必要がなく、操作性を向上させることができる。
【００５２】
尚、本実施の形態においては、電源操作キー４２１が所定時間以上継続して入力されたとき電源オンを指定し、電源操作キー４２１が再度操作されたとき電源オフを指定する場合を説明したが、本発明はこれに限らず、入力時間の長短、又は入力回数に応じて電源のオン又はオフを指定しても良いし、これらの組み合わせにより指定するようにしても良い。
【００５３】
実施の形態３．
上記実施の形態１及び２においては、プロジェクタ１の電源をオン状態又はオフ状態にする場合の動作を説明したが、本発明はこれに限らず、単一の操作キーが操作される度に機能や状態を交互に変化させる任意のトグル動作において、所望の動作状態を指定することができる。本実施の形態３ではトグル動作の一例として、メニュー画面を表示する場合について説明する。
尚、本実施の形態２の構成は、上記実施の形態１と同様であり、同一部分については同一符号を付して、その説明を省略する。
【００５４】
図６は実施の形態３に係るトグル動作の一例を示す図である。
図６（ａ）に示すように、入力画像信号に基づく入力画像Ｇ１を投写中に、リモコンＲＣのメニューキー４２２が操作されると、制御部２０は、画像信号処理部３２にメニュー画面のＯＳＤ信号の生成を指示し、図６（ｂ）に示すように、メニュー画像Ｇ２が投写される。そして、再び、メニューキー４２２が操作されると、制御部２０は、画像信号処理部３２にメニュー画面のＯＳＤ信号の生成を停止させ、図６（ｃ）に示すように、入力画像信号に基づく入力画像Ｇ１を再び投写させる。このようにプロジェクタ１は、メニューキー４２２が操作される度に、入力画像Ｇ１、又はメニュー画像Ｇ２を交互に表示するように動作する。
【００５５】
このメニュー表示の操作において、制御部２０は、メニュー操作信号を受け取ったあと所定時間経過前（例えば１秒）に、第１の操作信号として例えば決定キー（図示せず）の操作信号を受け取ったとき、第１の動作としてメニュー画像Ｇ２の表示を行う。また、第２の操作信号として例えばＥＳＣキー操作信号を受け取ったとき、第２の動作として入力画像Ｇ１の表示を行う。
このようなメニュー表示を行うトグル動作においても、表示状態にかかわらず、所望の表示状態にする操作を行うことができる。
【００５６】
以上のように本実施の形態３においては、トグル動作に関する操作信号を受け取ったあと所定時間経過前に、第１の操作信号を受け取ったとき第１の動作を行い、第２の操作信号を受け取ったとき第２の動作を行うので、トグル動作に関する動作状態にかかわらず、所望の操作を行うことができる。
これにより、１台のリモコンＲＣにより複数のプロジェクタ１を操作する場合であっても、各プロジェクタ１のトグル動作に関する動作状態にかかわらず、所望の動作状態とする操作を行うことができる。
【００５７】
尚、上記実施の形態１〜３では、液晶ライトバルブ１２を用いて、ランプ１１から射出された光を変調したが、本発明はこれに限らず、他の空間光変調器を用いても良く、例えば、半導体基板の上に敷き詰められた微小面積のミラーの傾きを画像信号に基づいて制御することによって画像を投写するＤＭＤ（Ｄｉｇｉｔａｌ  Ｍｉｃｒｏｍｉｒｒｏｒ  Ｄｅｖｉｃｅ）を用いても良い。尚、ＤＭＤは米国テキサスインスツルメンツ社の登録商標である。
【００５８】
尚、上記実施の形態１〜３では、画像表示装置としてプロジェクタを説明したが、本発明はこれに限定するものではなく、入力画像信号に基づいて画像を表示する画像表示装置であれば良い。例えば、ＣＲＴディスプレイ、液晶パネル（ＬＣＤ）、プラズマディスプレイ（ＰＤＰ）、有機ＥＬディスプレイなどを備えた、パーソナルコンピュータ、液晶テレビ、プラズマテレビなどでも良い。
【図面の簡単な説明】
【００５９】
【図１】実施の形態１に係るプロジェクタの構成を示すブロック図である。
【図２】実施の形態１に係るリモコンの構成を示す図である。
【図３】複数のプロジェクタの操作を説明する図である。
【図４】実施の形態１に係る電源オンオフ操作の動作を示すフローチャートである。
【図５】実施の形態２に係る電源オンオフ操作の動作を示すフローチャートである。
【図６】実施の形態３に係るトグル動作の一例を示す図である。
【符号の説明】
【００６０】
１  プロジェクタ、２  外部接続機器、１１  ランプ、１２Ｒ  液晶ライトバルブ、１２Ｇ  液晶ライトバルブ、１２Ｂ  液晶ライトバルブ、１３  投写光学系、１４  液晶ライトバルブ駆動部、２０  制御部、３１  画像入力部、３２  画像信号処理部、３３  フレームメモリ、４０  バラスト、４１  操作パネル、４２  リモコン受光部、４２１  電源操作キー、４２２  メニューキー、４２３  ＥＳＣキー、４３  操作信号入力部、４４  記憶部、５０  タイマ部、６０  電源部、Ｇ１  入力画像、Ｇ２  メニュー画像、ＰＪ１  プロジェクタ、ＰＪ２  プロジェクタ、ＰＪ３  プロジェクタ、ＲＣ  リモコン、ＳＣ  スクリーン。
【図１】
2009278572.tif 000003
【図２】
2009278572.tif 000004
【図３】
2009278572.tif 000005
【図４】
2009278572.tif 000006
【図５】
2009278572.tif 000007
【図６】
2009278572.tif 000008